(57)【要約】 【課題】使用する筒体の材料及び形状の幅を広げた、導電性が優れた入力ペンを提供する。 【解決手段】操作領域の操作部分の座標位置を静電容量変化に伴う電気量変化によって検出し、操作部分の座標位置を入力する入力装置に用いる入力ペンであって、前記入力ペンは、中空筒状体の前部に、前記入力装置に接触する導電性を有するペン先を具備するとともに、前記中空筒状体内に、少なくとも、イオン液体および／または電解質からなる導電性液体組成物を収容することを特徴とする入力ペンとする。【選択図】図１
2015011440.tif 000002
【特許請求の範囲】
【請求項１】
操作領域の操作部分の座標位置を静電容量変化に伴う電気量変化によって検出し、操作部分の座標位置を入力する入力装置に用いる入力ペンであって、前記入力ペンは、中空筒状体の前部に、前記入力装置に接触する導電性を有するペン先を具備するとともに、前記中空筒状体内に、少なくともイオン液体および／または電解質からなる導電性液体組成物を収容することを特徴とする入力ペン。
【請求項２】
前記ペン先が、前記入力装置の操作時に、前記入力装置と接触面積２０ mm2以下の面状または点状で接触する先端接触部を有することを特徴とする請求項１に記載の入力ペン。
【請求項３】
前記ペン先の少なくとも前記入力装置に接触する先端接触部における表面の算術平均粗さが、０．１〜１００．０ｎｍであることを特徴とする請求項１または２に記載の入力ペン。
【請求項４】
前記導電性液体組成物が、増粘剤を含有することを特徴とする請求項１ないし３の何れか１項に１に記載の入力ペン。 
【請求項５】
２０℃環境下、剪断速度１．９２（ sec-1）で、前記導電性液体組成物の粘度が５００mＰａ・ｓ以上であることを特徴とする請求項１ないし４の何れか１項に記載の入力ペン。 
【請求項６】
請求項１ないし５の何れか１項に記載の入力ペンを外筒内に配設し、前記外筒を把持して入力操作可能としたことを特徴とする入力ペン。
【請求項７】
請求項１ないし５の何れか１項に記載の入力ペンを外筒内に配設し、前記入力ペンのペン先が、前記外筒の前端開口部から出没可能としたことを特徴とする入力ペン。
【発明の詳細な説明】
【技術分野】
【０００１】
本発明は、操作領域を入力ペンのペン先で触れることにより、静電容量変化に伴う電気量変化によって位置を検出し、カーソル移動ができる入力装置に用いる入力ペンに関するものである。
【背景技術】
【０００２】
従来、入力ペンのペン先については、ペン先に導電性ゴムを用いたものとしては、導電性金属からなる芯部材と、芯部材の前部外面に取り付けられる導電性ゴムと、芯部材と導電性ゴムの間に充てんされるゲル状物質からなる充てん材により導電性を有するペン先を構成し、このペン先を導電性の軸筒の前端部に取り付けた入力ペンが知られている（特許文献１参照）。
その他、ペン先に導電性繊維を用いたものとしては、可撓性を有する複数本の導電性繊維を束ねたものをペン先に取り付けた入力ペンが知られている。（特許文献２参照）。
【先行技術文献】
【特許文献】
【０００３】
【特許文献１】特許第４１４２７７６号公報
【特許文献２】特許第５０４２１５９号公報
【発明の開示】
【発明が解決しようとする課題】
【０００４】
しかしながら、前記した入力ペンは、導電性ゴム等の ペン先と、ペン先を装着した軸筒等の筒体を保持する手とが導通することによって、操作領域の操作部分の座標位置を静電容量変化に伴う電気量変化によって検出することが可能となるため、使用する外筒にも導電性の高い材料が必要であった。
【０００５】
ところで、最近では、液晶パネルのようなタッチパネル方式の入力装置が数多く製品化され、その大きさも様々であり、持ち運び性を考慮した細く短い入力ペンや握り易さや操作性を考慮した太さや長さとした入力ペンなども数多く提案されている。その一方で、使用する筒体に導電性の高い材料を用いると、コストが高騰し、製品重量や筒体形状等に制約があることも事実であった。
【０００６】
本発明の目的は、使用する筒体の材料及び形状の幅を広げた、導電性が優れた入力ペンを提供することである。
【課題を解決するための手段】
【０００７】
本発明は、上記課題を解決するために、 
「１．操作領域の操作部分の座標位置を静電容量変化に伴う電気量変化によって検出し、操作部分の座標位置を入力する入力装置に用いる入力ペンであって、前記入力ペンは、中空筒状体の前部に、前記入力装置に接触する導電性を有するペン先を具備するとともに、前記中空筒状体内に、少なくともイオン液体および／または電解質からなる導電性液体組成物を収容することを特徴とする入力ペン。
２．前記ペン先が、前記入力装置の操作時に、前記入力装置と接触面積２０ mm2以下の面状または点状で接触する先端接触部を有することを特徴とする第１項に記載の入力ペン。
３．前記ペン先の少なくとも前記入力装置に接触する先端接触部における表面の算術平均粗さが、０．１〜１００．０ｎｍであることを特徴とする第１項または第２項に記載の入力ペン。
４．前記導電性液体組成物が、増粘剤を含有することを特徴とする第１項ないし第３項の何れか１項に１に記載の入力ペン。
５．２０℃環境下、剪断速度１．９２（ sec-1）で、前記導電性液体組成物の粘度が５００mＰａ・ｓ以上であることを特徴とする第１項ないし第４項の何れか１項に記載の入力ペン。 
６．第１項ないし第５項の何れか１項に記載の入力ペンを外筒内に配設し、前記外筒を把持して入力操作可能としたことを特徴とする入力ペン。
７．第１項ないし第５項の何れか１項に記載の入力ペンを外筒内に配設し、前記入力ペンのペン先が、前記外筒の前端開口部から出没可能としたことを特徴とする入力ペン。」とする。
【発明の効果】
【０００８】
本発明は、使用する筒体の材料及び形状の幅を広げるとともに、ペン先で触れることでスムーズなカーソル移動ができる導電性が優れる入力ペンを提供することができた。
【図面の簡単な説明】
【０００９】
【図１】実施例１の入力ペンを示す縦断面図である。
【図２】図１における一部省略したペン先部の拡大縦断面図である。
【図３】実施例５の入力ペンを示す一部省略したペン先部の拡大縦断面図である。
【図４】実施例６の出没入力ペンを示す縦断面図である。
【図５】図４におけるペン先が突出した状態を示す縦断面図である。
【発明を実施するための形態】
【００１０】
本発明の特徴としては、中空筒状体の前部に導電性のペン先を具備した入力ペンにおいて、前記中空筒状体内に、少なくともイオン液体および／または電解質からなる導電性液体組成物を収容することである。
【００１１】
これは、中空筒状体内に、少なくともイオン液体および／または電解質からなる導電性を有する導電性液体組成物を収容することで、中空筒状体自体の導電性を考慮することなく、ペン先から導電性液体組成物を通じて中空筒状体を把持した指に導電、或いは外筒内に入力ペンを収容した場合には、ペン先から導電性液体組成物を通じて中空筒状体を介し、外筒を把持した指に導電するため、導電性に優れた入力ペンとすることが可能となるためである。
【００１２】
本発明で用いる入力ペンの前部に具備するペン先については、導電性を有するものであれば限定されるものではなく、導電性ゴム、ステンレス鋼、アルミニウム、銅、チタン、鉄、真鍮、ブロンズなどの金属材料や、炭素繊維材料、ポリアセチレン、ポリピロール、ポリチオフェンおよびポリアニリン等の導電性樹脂材料、非導電性樹脂に無機物質を中心とする導電体を添加して電気・電子機能を与えた複合導電性樹脂材料等を用いることができる。導電性を良好にすることやペン先の損耗を抑制するには、金属材からなるものが好ましい。
【００１３】
その中でも、ステンレス鋼は、含有するクロムが空気中で酸素と結合して表面に不動態皮膜を形成しており、耐食性が高いため好ましい。前記導電性を有するペン先が、金属材からなるものを用いる場合は、入力装置の操作面を傷つけないように、前記ペン先、特に入力装置の操作時に、前記入力装置と接触する先端接触部にダイヤモンド様膜（ＤＬＣ膜）のような炭素質膜で覆うことで滑りやすくして、スムーズにカーソル移動し易くすることが好ましい。また、前記ペン先に導電性のある保護被膜で覆い、入力時のペン先端部の衝撃を和らげることもできる。
【００１４】
前記ペン先には、ボールペンのように、ステンレス鋼からなるペン先本体の前端部にボールを抱持し、ペン先本体の前端縁部を内側にかしめることで、ボールを回転自在に抱持したボールペンチップタイプとすることが好ましい。これは、ボールが回転することで、スムーズなカーソル移動ができるため好適に用いることができる。さらに、前記ボールを前後動可能に配設し、且つボールの後方に、ボールを常時、押圧する弾発部材を配設することによって、入力時に、前記ボールが後方に移動することで衝撃を和らげるようにする方が好ましい。尚、前記弾発部材は、導電性を有するものが好ましく、また、前記弾発部材の押圧力は３０〜３００ｇｆが好ましい、これは３０ｇｆ未満だと衝撃吸収力が劣りやすく、３００ｇｆを越えると、ボールが回転しづらくなるためであり、より考慮すれば、５０〜２００ｇｆが好ましい。前記ボールの前後の移動距離は、２０μｍ未満では衝撃吸収力が小さく、２００μｍを超えると操作時の感触が低下するため、２０μｍ〜２００μｍとすることが好ましく、さらに好ましくは、４０μｍ〜１００μｍである。
【００１５】
前記ペン先は、入力装置への誤作動を防止するため、前記入力装置との接触面積が２０ mm2以下の面状または点状で接触する、先端接触部を設けることが好ましい。尚、先端接触部の形状は、特に限定されるものではないが、略球状又は円弧状として入力装置の操作面を傷つけないようにすることが好ましい。尚、入力装置との接触面積とは、２５℃、入力角度７０度、入力荷重１００ｇｆで、入力ペンのペン先の先端接触部を入力装置に接触した時の面積を示すものである。
【００１６】
前記ペン先の先端接触部は、算術平均粗（Ｒａ）で０．１〜１００．０ｎｍが好ましい、これは、１００．０ｎｍを越えると、入力装置の操作面を傷つけやすくなってしまうためであり、より考慮すれば、０．１〜１０．０ｎｍが好ましい。算術平均粗さ（Ｒａ）とは、（式１）で示すように、表面粗さ測定器（セイコーエプソン社製の機種名ＳＰＩ３８００Ｎ）により測定された粗さ曲線から、その平均線の方向に基準長さＬだけ抜き取り、この抜き取り部分の平均線から測定曲線までの偏差の絶対値を合計し、平均した値である。
（式１） 
2015011440.tif 000003
【００１７】
また、前記ペン先は、視認性の観点から入力装置への誤作動を防止するため、より細い方が好ましく、パイプ状や棒線状などであっても良いが、視認性とペン先の強度を得るために、砲弾型、尖頭型、段形状などの先細形状とすることが最も好ましい。ペン先の大きさは、特に限定されないが、最大外径や横断面の最大幅が１０ｍｍよりも大きいと視認性が低下しやすく、０．５ｍｍより小さいとペン先の強度が低下しやすいために、０．５〜１０ｍｍ、より考慮すれば、１〜５ｍｍが好ましい。
【００１８】
また、本発明で用いる中空筒状体の形状や材料については、導電性の有無に関わらず適宜選択して使用することができ、導電性を有する材料としては、ステンレス鋼、アルミニウム、銅、チタン、鉄、真鍮、ブロンズなどの金属材料や、ポリアセチレン、ポリピロール、ポリチオフェンおよびポリアニリン等の導電性樹脂材料、炭素繊維材、非導電性樹脂に無機物質を中心とする導電体を添加して電気・電子機能を与えた複合導電性樹脂等が挙げられる。また、非導電性材料としては、ポリプロピレン、ポリカーボネート、ＡＢＳ樹脂など、導電性のない、或いは極めて少ない導電性の絶縁材料と呼ばれる樹脂等が 挙げられる。コスト面、中空筒状体の生産性、加工性等を考慮すると、ポリプロピレン、ポリカーボネート、ＡＢＳ樹脂などの非導電性材料を用いることが好ましい。 
【００１９】
また、入力ペンの中空筒状体には、前述の通り、導電性の有無に関わらず適宜選択して使用することができるが、中空筒状体として非導電性材料を用いる場合には、中空筒状体の肉厚が、２ｍｍより厚いと、導電性液体組成物による導電性が低下しやすく、０．０５ｍｍより薄いと、中空筒状体の強度が低下しやすいため、０．０５〜２ｍｍ、より考慮すれば、０．１〜１ｍｍが好ましい。さらに、収容する導電性液体組成物の収容量は、特に限定されないが、必要な導電性を得るためには０．１ｇ以上含有する方が好ましい。
【００２０】
入力ペンの中空筒状体は、前端及び／又は後端を開口してあってもよいが、中空筒状体内に導電性液体組成物を収容しやすくするため、両端を開口することが好ましく、両端を開口した中空筒状体においては、収容した導電性液体組成物の液漏れ防止のために、導電性液体組成物の後方に高粘性液栓や固体栓を配設する。また、前述の通り、ペン先は視認性の観点から入力装置への誤作動を防止するため、より細い方が好ましいが、中空筒状体の前端部に、直接、ペン先を装着するには、中空筒状体の前端部のみ又は全体を細くする必要がある。しかし、前者の中空筒状体の前端部を細くするには、製造が困難となり、製造コストが高騰する恐れがあり、後者の中空筒状体の全体を細くすると、前述のように、収容する導電性液体組成物の収容量が少なくなり、導電性が低下する恐れがある。そのため、ペン先と中空筒状体との間に、ペン先ホルダーを介することが好ましい。尚、前記高粘性液栓や固体栓、ペン先ホルダーには導電性を有する材料とすることが好ましい。
【００２１】
本発明におけるイオン液体とは、常温溶融塩または単に溶融塩などとも称されるものであり、常温（室温）を含む幅広い温度域で溶融状態を示す陽イオンと陰イオンの塩である。これは塩を構成するイオンを比較的サイズの大きな有機イオンに置換した場合、融点が低くなり、常温付近でも液体状態で存在するようになるためである。
【００２２】
また、本発明で用いるイオン液体については、カチオン成分とアニオン成分からなる塩であるが、カチオン成分は、イミダゾリウム、ピリジニウム、ヒペリジニウム、ピラゾニウム、ピロリジニウム、ピロリニウム、アンモニウム、ホスホニウムなどがあげられる。また、イオン液体化合物のアニオン成分は、ハロゲン（塩素、臭素、ヨウ素など）、テトラフルオロボレート、ヘキサフルオロホスフェート、トリフルオロメタンスルホネート、ビス（フルオロスルホニル）イミド、ビス（トリフルオロスルホニル）イミド、トリ（トリフルオロスルホニル）カルボアニオン、トリフルオロアセテート、ヒドロフッ化物アニオンなどが挙げられる。これらのイオン液体を水などの溶剤に溶解することで、導電性に優れた液体組成物とすることが可能である。これらは、単独または２種以上混合して使用してもよい。
【００２３】
また、本発明で用いる電解質については、アルカリ金属やアルカリ土類金属の塩化物、フッ化物、臭化物およびヨウ化物などのハロゲン化物が挙げられ、具体的には、ハロゲン化ナトリウム、ハロゲン化カリウム、ハロゲン化リチウムなどのアルカリ金属ハロゲン化物、ハロゲン化マグネシウム、ハロゲン化カルシウムなどのアルカリ土類金属ハロゲン化物が挙げられる。これらの電解質を水などの溶剤に溶解することで、導電性に優れた液体組成物とすることが可能である。これらは、単独または２種以上混合して使用してもよい。
【００２４】
これらのイオン液体、電解質の中でも、導電性液体組成物中において、イオン液体はコストが高いため、電解質を用いる方が好ましく、特にアルカリ金属イオンを有する化合物は安定性に優れるため、アルカリ金属塩化物、臭化物およびヨウ化物などのアルカリ金属ハロゲン化物を用いる方が好ましい。
【００２５】
また、電解質溶液の含有量は、導電性液体組成物全量に対し、０．１量％未満だと良好な導電性が得られにくく、３０．０質量％以上だと、溶剤に溶解しづらいため、０．１〜３０．０質量％が好ましい。さらに、より考慮すれば、０．５〜２０．０質量％がより好ましく、最も考慮すれば、３．０〜１５．０質量％が最も好ましい。
【００２６】
また、本発明では溶剤を用いても良く、イオン液体および／または電解質の溶解安定性を考慮して、水や、エチレングリコール、ジエチレングリコール、トリエチレングリコール、プロピレングリコール、ポリエチレングリコール、グリセリンなどのグリコール系溶剤、メタノール、エタノール、１−プロパノール、２−プロパノール、イソプロパノール、イソブタノール、ｔ−ブタノール、プロパギルアルコール、アリルアルコール、３−メチル−１−ブチン−３−オール、エチレングリコールモノメチルエーテルアセタートやその他の高級アルコール等のアルコール系溶剤、エチレングリコールモノメチルエーテル、エチレングリコールモノエチルエーテル、３−メトキシブタノール、３−メトキシ−３−メチルブタノール等のグリコールエーテル系溶剤などが挙げられる。これらは、単独または２種以上混合して使用してもよい。
【００２７】
溶剤の含有量は、溶解安定性を考慮すると、導電性液体組成物全量に対し、５０．０質量％以上が好ましく、より考慮すれば、７０．０質量％以上が好ましい。
【００２８】
また、中空筒状体内の導電性液体組成物の漏れを防止するために、導電性液体組成物に増粘剤を用いる方が好ましい。これは、導電性液体組成物の粘度を高くすることで、導電性液体組成物の漏れをより防止することが可能であり、仮に、導電性液体組成物の漏れが生じてれば、入力装置の故障の原因となってしまう。
【００２９】
また、増粘剤については、ポリアクリル酸やその架橋型重合体、ポリビニルピロリドン、ポリビニルアルコールなどの合成高分子や、キサンタンガム、ウェランガム、サクシノグリカン、サイリュウムシュードガム、グアーガム、ローカストビーンガム、ダイユータンガム、アルカシーガム、ゼラチン、アルギン酸、カラギーナンなどの多糖類、メチルセルロース、エチルセルロース、ヒドロキシプロピルセルロース、ヒドロキシメチルセルロース、カルボキシメチルセルロースやその塩などのセルロース類などが挙げられる。その中でも、少量で粘度を高くすることが可能で、導電性液体組成物の漏れ防止効果があるため、多糖類を用いる方が好ましい。これらは、単独または２種以上混合して使用してもよい。
【００３０】
増粘剤の含有量は、導電性液体組成物全量に対して、０．１質量％未満だと、導電性液体組成物の漏れ防止効果が得られにくく、５．０質量％を越えても導電性液体組成物の漏れ防止効果が変わらないため、０．１〜５．０質量％が好ましい。より考慮すれば、０．３〜３．０質量％が好ましい。
【００３１】
なお、導電性液体組成物の粘度については、限定されるものではないが、導電性液体組成物の漏れ抑制効果を考慮すると、剪断速度１．９２ｓｅｃ−１において、５００ｍＰａ・ｓ以上にする方が好ましく、より考慮すれば、２０００ｍＰａ・ｓ以上である。
【００３２】
また、本発明において、着色剤を含有する方が好ましい。これは、製造工程上、導電性液体組成物を着色することで、中空筒状体内に導電性液体組成物が収容されているかを目視などで管理しやすいためである。着色剤としては、特に限定されないが、顔料については、無機、有機、加工顔料などが挙げられるが、具体的にはカーボンブラック、アニリンブラック、群青、黄鉛、酸化チタン、酸化鉄、フタロシアニン系、アゾ系、キナクリドン系、キノフタロン系、スレン系、トリフェニルメタン系、ペリノン系、ペリレン系、ギオキサジン系、アルミニウム顔料、パール顔料、蛍光顔料、蓄光顔料、補色顔料等が挙げられる。染料については、直接染料、酸性染料、塩基性染料、含金染料、及び各種造塩タイプ染料等が採用可能である。その他、着色樹脂粒子体として顔料を媒体中に分散させてなる着色体を公知のマイクロカプセル化法などにより樹脂壁膜形成物質からなる殻体に内包または、固溶化させたマイクロカプセル顔料を用いても良い。更に、顔料を透明、半透明の樹脂等で覆った着色樹脂粒子などや、また着色樹脂粒子や無色樹脂粒子を、顔料もしくは染料で着色したもの等も用いることもできる。これらの顔料および染料は、単独又は２種以上組み合わせて使用してもかまわない。含有量は、インキ組成物全量に対し、０．１〜２０．０質量％が好ましい。
【００３３】
それらの着色剤の中でも、導電性を考慮すれば、顔料を用いる方が好ましく、より考慮すれば、カーボンブラックが好ましい。カーボンブラックは、ファーネスブラック、チャンネルブラック、アセチレンブラック等のカーボンブラックが挙げられる。それらのカーボンブラックの中でも、ＤＢＰ吸油量５０〜６００ｍｌ／１００ｇである方が好ましい。これは、ＤＢＰ吸油量５０ｍｌ／１００ｇ以上であると、少量で高い導電性が得られやすいが、ＤＢＰ吸油量が６００ｍｌ／１００ｇを超えると、カーボンブラックの分散性に影響を及ぼしやすいためである。より導電性を考慮すれば、ＤＢＰ吸油量３００〜６００ｍｌ／１００ｇである方が好ましい。具体的には、プリンテックス４５、プリンテックス６０、プリンテックス７０、プリンテックス９０、プリンテックス９５（デグサ（株））、＃３３、ＭＣＦ８８、＃３９５０Ｂ（三菱化成工業（株））などが挙げられる。
なお、カーボンブラックの吸油量は、カーボンブラックのストラクチャーを示す特性であり、乾燥された一定量のカーボンブラックがＤＢＰ（ジブチルフタレート）を吸収する量をいいＪＩＳＫ６２２１に規定される試験方法で測定される。 
【００３４】
また、本発明の入力ペンは、外筒内に入力ペンを収容して、前記外筒を把持して入力操作することができる。外筒の材料としては、中空円筒体内に収容した導電性液体組成物によって、導電性の有無に関わらず適宜選択して使用することができる。導電性を有する材料としては、ステンレス鋼、アルミニウム、銅、チタン、鉄、真鍮、ブロンズなどの金属材料や、ポリアセチレン、ポリピロール、ポリチオフェンおよびポリアニリン等の導電性樹脂材料、炭素繊維材、非導電性樹脂に無機物質を中心とする導電体を添加して電気・電子機能を与えた複合導電性樹脂等が挙げられる。また、非導電性材料としては、ポリプロピレン、ポリカーボネート、ＡＢＳ樹脂など、導電性のない、或いは極めて少ない導電性の絶縁材料と呼ばれる樹脂等が挙げられる。コスト面、外筒の生産性、成形性、形状の自由性を考慮すると、ポリプロピレン、ポリカーボネート、ＡＢＳ樹脂などの非導電性材料を用いることが好ましい。尚、中空円筒体と外筒体は、導電性を考慮して近接又は接触することが好ましい。
【００３５】
次に、実施例を示して本発明を説明する。 
図１、図２に示す実施例１の入力ペンは、非導電性樹脂であるポリプロピレンからなる中空円筒体２の先端部に、先端接触部４ａとなる表面の算術平均粗さ（Ｒａ）が５．０ｎｍである導電性を有するボール径１．０ｍｍのステンレスボール５をステンレス鋼材からなる導電性を有するペン先本体に回転自在に抱持したペン先４を、導電性を有するペン先ホルダー３の前端部３ａに装着し、ペン先ホルダー３の閉鎖した後端部３ｂを中空円筒体２内に圧入装着してある。中空円筒体２内には、配合例１の導電性液体組成物７及びグリース状の液体栓８を直詰めして入力ペン１を得ている。また、中空円筒体２の後端部には、尾栓を装着してある。さらに、ボール５の後方に、ボール５を常時、押圧する導電性を有する弾発部材（コイルスプリング）９を配設してある。尚、前記弾発部材（コイルスプリング）の押圧力は５０ｇｆ、前記ボール５の前後の移動距離は、１００μｍであり、ペン先４の横断面の最大径Ｌは３ｍｍであった。
【００３６】
実施例１の入力ペン１を使用するには、配合例１の導電性液体組成物７を収容した中空円筒体２を指で把持し、入力装置（図示せず）の操作領域を入力ペン１のペン先４のボール５が触れることにより、ボール５よりペン先４、弾発部材９、ペン先ホルダー３、導電性液体組成物７を介して、中空円筒体２を把持した指に導電して、カーソル操作を行うことができる。
【００３７】
実施例１の導電性液体組成物７は、水、電解質（塩化ナトリウム）、防腐剤、防菌剤を５０℃にて混合攪拌機を用いて攪拌して導電性液体組成物を得た。具体的な配合量は下記の通りである。
【００３８】
導電性液体組成物配合例１ 
水                                                     ９４．０質量部 
電解質（塩化ナトリウム）                                 ５．０質量部 
防錆剤（ベンゾトリアゾール）                             ０．５質量部 
防菌剤（１，２ベンゾイソチアゾリン−３−オン）           ０．５質量部 
【００３９】
実施例２〜４ 
実施例２〜４は、表１に示すように導電性液体組成物を変更した以外は、配合１と同様な手順で得た配合例２〜４の導電性液体組成物を、実施例１と同様にして中空円筒体２内に収容して実施例２〜４の入力ペンを得た。但し、実施例２の導電性液体組成物は、配合最終工程で、増粘剤を投入して加温しながらホモジナイザー攪拌機を用いて均一な状態となるまで充分に混合攪拌した後、濾紙を用い濾過を行って、実施例２に用いる配合例２の導電性液体組成物を得ている。表１に配合例２〜４の導電性液体組成物の配合を示す。
【００４０】
図３に、実施例５の入力ペン２１を示す。入力ペン２１は、配合例１の導電性液体組成物７を収容した非導電性樹脂であるポリプロピレンからなる中空円筒体２の先端部に、ステンレス鋼材からなる導電性を有するペン先２４を、非導電性樹脂であるポリプロピレンからなるペン先ホルダー２３を介して具備した以外は、実施例１と同様にして入力ペン２１を得ている。尚、ペン先２４の横断面の最大径Ｌは３ｍｍであった。
【００４１】
図４、図５に、実施例６の出没式の入力ペン３１を示す。入力ペン３１は、非導電性であるポリプロピレンからなる前外筒３２と、非導電性であるポリカーボネートからなる後外筒３３とを着脱自在に螺着した外筒本体内に、実施例１の入力ペン１を弾発材３４によって後方に付勢して収納してあり、後外筒３３内に具備した回転カム３６による出没機構によって、ノック体３５を押圧することで、入力ペン１のペン先４の前端部を前外筒３２の前端開口部３２ａから出没可能とした出没式の入力ペン３１としてある。尚、後外筒３３には、クリップ３７を配設し、前外筒３２の把持には、非導電性であるオレフィン系の熱可塑性エラストマーからなるグリップ３８を装着してある。
【００４２】
実施例６の入力ペン３１を使用するには、入力ペン１を収納した外筒本体の前外筒３２の把持部（グリップ３８）を指で把持し、入力装置（図示せず）の操作領域を入力ペン３１のペン先４のボール５が触れることにより、ボール５よりペン先４、弾発部材９、ペン先ホルダー３、導電性液体組成物７、前外筒３２、グリップ３８を介して、グリップ３８を把持した指に導電して、カーソル操作を行うことができる。
【００４３】
比較例１〜３ 
表１に示すように導電性液体組成物を変更した以外は、配合例１と同様な手順で得た配合例５〜７の導電性液体組成物を、実施例１と同様にして中空円筒体に収容して比較例１〜３の入力ペンを得ている。但し、比較例２は、表１に示すように変更した以外は、配合最終工程で、増粘剤を投入して加温しながらホモジナイザー攪拌機を用いて均一な状態となるまで充分に混合攪拌した後、濾紙を用い濾過を行って、比較例２に用いる配合例６の導電性液体組成物を得ている。表１に配合例５〜７の導電性液体組成物の配合を示す。
【表１】
2015011440.tif 000004
【００４４】
実施例１〜６では、導電性に優れている入力ペンであるため、スムーズなカーソル移動ができ良好であった。入力装置を前記入力ペンで操作を行っているところを観察したところ、前記入力装置と前記導電性を有するペン先端部は点状で接触をしていた。
【００４５】
比較例１〜３では、イオン液体および／または電解質が含有していないため、導電性が悪く、入力装置の操作領域を入力ペンのペン先で触れても、カーソル移動ができなかった。
【００４６】
また、ペン先 ホルダーについては、ペン先ホルダーの前後を貫通する内部孔を設けて、中空筒状体内の導電性液体組成物を前記内部孔を通ってペン先に伝えても良いが、導電性液体組成物の漏出防止を考慮すれば、貫通する内部 孔を設けないで、導電性液体組成物がより漏出しづらい漏出防止栓とする方が好ましい。
【産業上の利用可能性】
【００４７】
入力ペンの導電性を有するペン先が導電性に優れることでスムーズなカーソル移動ができる入力ペンとして利用可能である。
【符号の説明】
【００４８】
１、３１  入力ペン 
２  中空筒状体 
３  ペン先ホルダー 
３ａ、２３ ａ  前端部 
３ｂ、２３ ｂ  後端部 
４、２４  ペン先 
４ a  、２４ a  先端接触部 
５  ボール 
６  尾栓 
７  導電性液体組成物 
８  液体栓 
９  弾発部材 
３２  前外筒 
３２ a  前端開口部 
３３  後外筒 
３４  弾発材 
３５  ノック体 
３６  回転カム 
３７  クリップ 
３８  グリップ 
Ｌ    ペン先２４の横断面の最大径 
【図１】
2015011440.tif 000005
【図２】
2015011440.tif 000006
【図３】
2015011440.tif 000007
【図４】
2015011440.tif 000008
【図５】
2015011440.tif 000009